(57)【要約】【課題】メンテナンス作業性がよく、かつ一部のみをメンテナンスする場合であっても、他部への塵埃の付着などの不具合の発生を防止する。【解決手段】下部構造体３２０内に、キセノンランプ３２１およびイメージセンサ３２２からなる密着イメージセンサ３０４を設け、下部構造体３２０の原稿搬送路３０３部分に金属板３２７を着脱可能に設け、この金属板３２７により、キセノンランプ３２１のインバータ回路などの回路素子が実装された回路基板３２３を外部に対して遮蔽し、さらに、密着イメージセンサ３０４は、原稿搬送路３０３に対してコンタクトガラス３１２を除いて、外側ケース体３２４により外部に対して遮蔽する。【選択図】図６
2012065346.tif 000002
【特許請求の範囲】
【請求項１】
装置本体における一方から他方へ挿入された原稿が搬送される原稿搬送路と、該原稿搬送路を移動する原稿に対して下方から画像を読み取る読取部と、前記原稿搬送路を露出可能に前記装置本体の前記他方側に開閉可能に支持された上部構造体とを備えた画像読取装置であって、
前記読取部における前記装置本体の前記一方側に設置されて前記読取部を制御駆動するための回路素子が実装された回路基板と、前記回路基板と前記読取部にそれぞれ前記原稿搬送路にて外部に対して遮断する遮蔽部材を備え、前記上部構造体が前記原稿搬送路を開放する位置にあるとき、前記回路基板と前記読取部とを、それぞれ独立して前記装置本体の前記一方側から取扱可能にしたことを特徴とする画像読取装置。
【請求項２】
前記回路基板の前記遮蔽部材を、前記原稿搬送路の下側部を構成する搬送ガイド部材とし、該搬送ガイド部材を着脱可能に設置したことを特徴とする請求項１記載の画像読取装置。
【請求項３】
前記回路基板における前記遮蔽部材との間にカバー部材を設けたことを特徴とする請求項１または２記載の画像読取装置。
【請求項４】
前記読取部における前記遮蔽部材の上部に原稿が表面を通過するコンタクトガラスが設けられていることを特徴とする請求項１記載の画像読取装置。
【請求項５】
前記読取部を密着イメージセンサとし、該密着イメージセンサの照明部をキセノンランプにて構成したことを特徴とする請求項１または４記載の画像読取装置。
【請求項６】
前記上部構造体の下側部が、前記原稿搬送路の上側部を構成することを特徴とする請求項１または２記載の画像読取装置。
【請求項７】
前記装置本体における前記回路基板に対向する一側部分に、前記回路基板へ外気を送風する送風部材を設けたことを特徴とする請求項１，２または３項記載の画像読取装置。
【請求項８】
読取対象における画像を読み取る画像読取部と、該画像読取部にて読み取った画像データに基づき記録材に対して画像を形成する画像形成部とを備えた画像形成装置において、  前記画像読取部として請求項１〜７いずれか１項記載の画像読取装置を搭載したことを特徴とする画像形成装置。
【発明の詳細な説明】
【技術分野】
【０００１】
本発明は、原稿搬送路を移動する原稿に対して下方から画像を読み取る読取部と、原稿搬送路において下部構造体に対し開閉可能に支承された上部構造体とを備えた画像読取装置、および該画像読取装置を搭載する画像形成装置に関するものである。
【背景技術】
【０００２】
従来、画像読取装置には、作業者の手により原稿を挿入しながら、該原稿の画像情報を読取部である密着イメージセンサによって読み取る構成のものがある（例えば、特許文献１，２）。
【０００３】
特許文献１に記載の装置は、密着イメージセンサを原稿搬送路に対して下方に配置したものであり、特許文献２に記載の装置は、密着イメージセンサを原稿搬送路に対して上方に配置したものである。
【０００４】
また、画像読取装置には、原稿搬送路において上部構造体と下部構造体とが別構造体にて構成され、下部構造体に対して上部構造体が移動可能に設置されて、開放時に原稿搬送路が外部に対して開放されるような構成のものがある（例えば特許文献３）。
【０００５】
さらに、密着イメージセンサ近傍にセンサ制御駆動用の回路であるインバータ回路が実装された回路基板を設置してユニット化した構成のもの（例えば、特許文献４）、あるいは回路基板を取り外し可能にした構成のものもある（例えば、特許文献５，６）。
【先行技術文献】
【特許文献】
【０００６】
【特許文献１】特開２００５−１５１５３２号公報
【特許文献２】特開２００２−１７９３１７号公報
【特許文献３】特開２００１−７９８３号公報
【特許文献４】特開平１０−１８６５３５号公報
【特許文献５】特開２００４−３５０２０７号公報
【特許文献６】特開２００２−２９６７０３号公報
【発明の概要】
【発明が解決しようとする課題】
【０００７】
前記従来の技術において、特許文献２に記載されているように、密着イメージセンサを原稿搬送路に対して上方に配置した構成のものでは、密着イメージセンサをメンテナンスする場合、上部構造体あるいは上部カバー体の下面からアクセスして、各部を取り扱う作業を行うため、上部構造体あるいは上部カバー体を取り外したり、あるいは上下動させる必要があり、作業性が悪いという課題がある。
【０００８】
これに対して、特許文献１に記載されているように、密着イメージセンサを原稿搬送路に対して下方に配置した構成のものでは、上部構造体あるいは上部カバー体を下部構造体に対して開放すれば、下部構造体に対して各部を取り扱う作業を容易に行うことができるようになるため、作業性はよいといえる。
【０００９】
しかし、特許文献４〜６に記載されているように、密着イメージセンサと回路基板とをユニット化したり、取り外し可能にした構成のものでは、インバータ回路あるいは光源部に対するメンテナンスを行う場合、密着イメージセンサとユニット化されているコンタクトガラスなどを取り外さないと、作業者はスキャナ内部に手を入れてインバータ回路あるいは光源部などを取り扱うことができない。
【００１０】
このため、インバータ回路のみに対してメンテナンスを行いたい場合であっても、光源部周辺部が外部に対して露出することになるため、メンテナンス作業中に塵埃などが光源部などに付着してしまうという不具合が生じる惧れがあった。
【００１１】
本発明は、前記従来の課題を解決し、メンテナンス作業性がよく、かつ一部のみをメンテナンスする場合であっても、塵埃の付着などの不具合の発生を防止することができるようにした画像読取装置、および該画像読取装置を搭載した画像形成装置を提供することを目的とする。
【課題を解決するための手段】
【００１２】
前記目的を解決するため、請求項１に記載の発明は、装置本体における一方から他方へ挿入された原稿が搬送される原稿搬送路と、該原稿搬送路を移動する原稿に対して下方から画像を読み取る読取部と、前記原稿搬送路を露出可能に前記装置本体の前記他方側に開閉可能に支持された上部構造体とを備えた画像読取装置であって、前記読取部における前記装置本体の前記一方側に設置されて前記読取部を制御駆動するための回路素子が実装された回路基板と、前記回路基板と前記読取部にそれぞれ前記原稿搬送路にて外部に対して遮断する遮蔽部材を備え、前記上部構造体が前記原稿搬送路を開放する位置にあるとき、前記回路基板と前記読取部とを、それぞれ独立して前記装置本体の前記一方側から取扱可能にしたことを特徴とし、この構成によって、回路基板と読取部とを装置本体の一方側からそれぞれ独立してアクセスして取り扱うことができるように、遮蔽部材を設けたため、回路基板に対するメンテナンスを行うときでも、読取部に塵埃などが侵入して付着するなど不具合の発生を防止することができる。
【００１３】
請求項２に記載の発明は、請求項１記載の画像読取装置において、回路基板の遮蔽部材を、原稿搬送路の下側部を構成する搬送ガイド部材とし、該搬送ガイド部材を着脱可能に設置したことを特徴とし、この構成により、回路基板の遮蔽部材として特別な部材を設ける必要がなく、構成が複雑にならず、回路基板の遮蔽部材の取り外し，取り付けなどにおいて読取部への影響がない。
【００１４】
請求項３に記載の発明は、請求項１または２記載の画像読取装置において、回路基板における遮蔽部材との間にカバー部材を設けたことを特徴とし、この構成によって、回路基板の保護がより確実に図られる。
【００１５】
請求項４に記載の発明は、請求項１記載の画像読取装置において、読取部における遮蔽部材の上部に原稿が表面を通過するコンタクトガラスが設けられていることを特徴とし、この構成により、複雑な構成にならない読取部における一般的な構成の外側ケースを遮蔽部材と採用することができる。
【００１６】
請求項５に記載の発明は、請求項１または４記載の画像読取装置において、読取部を密着イメージセンサとし、該密着イメージセンサの照明部をキセノンランプにて構成したことを特徴とし、この構成により、回路基板にキセノンランプインバータ回路が実装されていても、そのメンテナンスを容易に行うことができる。
【００１７】
請求項６に記載の発明は、請求項１または２記載の画像読取装置において、上部構造体の下側部が、原稿搬送路の上側部を構成することを特徴とし、この構成によって、複雑な構成にならない構成の一般的な上部構造体を採用することができる。
【００１８】
請求項７に記載の発明は、請求項１，２または３項記載の画像読取装置において、装置本体における回路基板に対向する一側部分に、回路基板へ外気を送風する送風部材を設けたことを特徴とし、回路基板に実装されている回路素子の動作時の冷却が確実に行われる。
【００１９】
請求項８に記載の発明は、読取対象における画像を読み取る画像読取部と、該画像読取部にて読み取った画像データに基づき記録材に対して画像を形成する画像形成部とを備えた画像形成装置において、前記画像読取部として請求項１〜７いずれか１項記載の画像読取装置を搭載したことを特徴とし、この構成によって、本発明に係る画像読取装置を搭載したことにより、画像読取部における要部のメンテナンスが容易に行え、しかも、読取部内部に塵埃などが侵入して付着することなどを防止することができるため、長期にわたって良好な画像形成が行われることになる。
【発明の効果】
【００２０】
本発明に係る画像読取装置によれば、回路基板と読取部とを、装置本体の一方側（正面側，手前側）からそれぞれ独立して、アクセスして取り扱うことができるように遮蔽部材を設けたため、回路基板に対するメンテナンスを行うときでも、読取部に塵埃などが侵入して付着するなど不具合の発生を防止することができる。
【００２１】
また、本発明に係る画像形成装置によれば、画像読取部に本発明に係る画像読取装置を搭載したことにより、画像読取部における要部のメンテナンスが容易に行え、しかも、画像読取部内部に塵埃などが侵入して付着することなどを防止することができるため、長期にわたって良好な画像形成が可能になる。
【図面の簡単な説明】
【００２２】
【図１】本発明に係る画像形成装置の実施形態である広幅デジタル複写機を正面側から見た外観斜視図
【図２】図１の広幅デジタル複写機を背面側から見た外観斜視図
【図３】本実施形態の広幅デジタル複写機の全体構成を示す概略構成図
【図４】本実施形態における排紙部の要部を示す側面図
【図５】本実施形態におけるスキャナ部を構成する上部構造体を下部構造体に対して開いた状態を正面側から見た斜視図
【図６】本実施形態における上部構造体と下部構造体の内部の構成図
【図７】本実施形態における上部構造体の圧板部分を示す斜視図
【図８】本実施形態における下部構造体の原稿搬送路部分の金属板を示す平面図
【図９】本実施形態における上部構造体を下部構造体に対して開き、かつ前記金属板を取り除いた状態を正面側から見た斜視図
【図１０】本実施形態における図９に示す状態を側面方向からみた拡大斜視図
【図１１】本実施形態における下部構造体の側部における主な構成部材を示す側面図
【発明を実施するための形態】
【００２３】
以下、本発明の実施の形態を図面に基づいて説明する。
【００２４】
図１は本発明に係る画像形成装置の実施形態である広幅デジタル複写機を正面側（手前側）から見た外観斜視図、図２は図１の広幅デジタル複写機を背面側（後側）から見た外観斜視図、図３は本発明に係る画像形成装置の実施形態である広幅デジタル複写機の概略構成図である。
【００２５】
図１〜図３において、給紙装置１００の上部に画像形成装置としての複写機本体２００が設置され、この複写機本体２００の上部に画像読取装置としてのスキャナ部（画像読取部）３００が設置され、全体として複写装置を構成している。
【００２６】
図３において、スキャナ部３００は、原稿台３０１上に置かれた原稿を給紙ローラ３０２により１枚ずつ原稿搬送路３０３に対して給紙し、原稿搬送路３０３において読取部である密着イメージセンサ３０４により、画像読み取り終了後に、排紙ローラ３０５により排紙トレイ３０６ａ，３０６ｂのいずれかに排紙するように構成されている。
【００２７】
密着イメージセンサ３０４は、後述するように全体として主走査方向に長い箱形状をしており、原稿を照明する光源およびイメージセンサを有し、原稿搬送路３０３において原稿を照明し、該原稿からの反射光をレンズアレイなどを通してイメージセンサ上に結像させて、光電変換を行うことにより画像信号を出力する。
【００２８】
複写機本体２００は、作像部２０１，定着部２０２，排紙部２０３を具備しており、密着イメージセンサ３０４により読み取られた画像信号が画像処理され、処理された画像信号に基づいて動作するＬＥＤ書込装置２０４により、表面が均一に帯電された感光体２０５上に静電潜像を形成し、この静電潜像を現像部２０６にてトナー現像して顕像化する。
【００２９】
感光体２０５に形成されたトナー像は、転写部２０７において、給紙装置１００から給送され、かつレジストローラ２０８にて作像タイミングとの同期が取られて搬送される記録用紙に対して転写される。トナー像が転写された後の用紙は、分離部２１０により感光体２０５から分離されて搬送ベルト２１１で定着部２０２へ導かれ、定着部２０２において加熱加圧されて定着処理が施される。
【００３０】
前記定着後の用紙は、複数の排紙ローラ２１４，２１５からなる排紙部２０３にて、複写機本体２００の上面あるいは複写機本体２００の後方に設けられた排紙部２１２，２１３に排出される。排紙部２０３において、図４に示すように、排紙方向は分岐爪２１６，２１７の回動により切り替えられる。
【００３１】
給紙装置１００は、上下２段のロール紙トレイ１０１，１０２を有している。このロール紙トレイ１０１，１０２は、装置本体から図における左方向に引き出し可能となっており、トレイを引き出した状態でロール紙のセットやジャム処理を行うように構成されている。ロール紙トレイ１０１，１０２には、それぞれ２つずつロール紙１０３〜１０６をセットすることができる。各ロール紙１０３〜１０６に対する給紙ローラ１１１〜１１４がロール紙近傍に配設されている。
【００３２】
各給紙ローラ１１１〜１１４により送り出された用紙は、図における左側（正面側）のトレイに設けられたロールカッターユニット１１５，１１６により一定の長さに切断され、シート状の記録用紙として搬送ローラ１１７，１１８により複写機本体２００へ搬送される。
【００３３】
また、スキャナ部３００の上部構造体３１０には、図１に示すように、各種モードの設定，動作のスタート指示や、搬送する用紙の情報であるリピートコピー設定や長尺通紙情報を入力するための表示／操作部３１１が設けられている。
【００３４】
図５は本実施形態におけるスキャナ部を構成する上部構造体を下部構造体に対して開いた状態を正面側から見た斜視図、図６は本実施形態における上部構造体と下部構造体の内部の構成図、図７は本実施形態における上部構造体の圧板部分を示す斜視図（図５のＡ部拡大図）、図８は本実施形態における下部構造体の原稿搬送路の金属板部分を示す平面図（図５のＢ部拡大図）である。
【００３５】
図６において、上部構造体３１０は、上外側部に表示／操作部３１１が設けられ、図における左側（正面側）を自由端として開閉可能に、右側一部が下部構造体３１０の装置本体に回動可能に支承されている。そして上部構造体３１０の下側と下部構造体３２０の上側間に原稿搬送路３０３が構成される。
【００３６】
上部構造体３１０には、給紙ローラ３０２の従動側ローラ３０２ａと、排紙ローラ３０５の従動側ローラ３０５ａとが設けられ、両従動側ローラ３０２ａ，３０５ａ間には、下部構造体３１０に設置された密着イメージセンサ３０４のコンタクトガラス３１２に対向して、原稿を押圧する白色基準板を兼ねる圧板３１３が設けられている。
【００３７】
圧板３１３は、コンタクトガラス３１２の副走査方向に対する幅よりも幅広で、かつ、図７に示すように、コンタクトガラス３１２の長手方向（主走査方向）に沿って延在しており、上部構造体３１０の原稿ガイド梁部分３１０ａに対して出没可能になるように、一部に切欠部３１３ａが形成され、かつ上部構造体３１０の支持部３１０ｂに回動可能に支持されている。このようにすることにより、原稿の厚さ，搬送状態などに応じて圧板３１３が適宜変位することができる。
【００３８】
また、図６に示すように、下部構造体３２０内には、給紙ローラ３０２の駆動側ローラ３０２ｂと、排紙ローラ３０５の駆動側ローラ３０５ｂとが設けられ、両駆動側ローラ３０２ｂ，３０５ｂ間には、上部構造体３１０の圧板３１３に対向して密着イメージセンサ３０４が配設されている。密着イメージセンサ３０４は、本例では照明部の光源としてキセノンランプ３２１およびイメージセンサ３２２などからなるものである。さらに、下部構造体３２０における原稿搬送路３０３部分には、回路側の遮蔽部材としての金属板３２７が着脱可能に設けられ、この金属板３２７が、搬送ガイド部材として下部構造体３２０における原稿搬送路３０３の一部を構成し、図８に示すように、金属板３２７の一部に通孔３２７ａが設けられて駆動側ローラ３０２ｂの上部が原稿搬送路３０３に対して露出するようになっている。
【００３９】
図６に示すように、密着イメージセンサ３０４における下部構造体３２０内の正面側（図における左側）には、キセノンランプ３２１のインバータ回路などの制御駆動用回路素子を実装した回路基板３２３が設けられている。密着イメージセンサ３０４は、原稿搬送路３０３に対してコンタクトガラス３１２を除いて、センサ側の遮蔽部材である外側ケース体３２４により外部に対して遮断されている。
【００４０】
図９は本実施形態における上部構造体を下部構造体に対して開き、かつ前記金属板を取り除いた状態を正面側から見た斜視図、図１０は図９に示す状態を側面方向からみた拡大斜視図である。
【００４１】
図９，図１０に示すように、回路基板３２３と、回路基板３２３に実装された回路素子３２５ａ〜３２５ｃの上部はカバー部材であるカバー体３２６にて覆われており、さらに、カバー体３２６の上方の原稿搬送路３０３に前記金属板３２７が着脱可能に設けられている。
【００４２】
また、図８に示すように、金属板３２７の通孔３２７ａにおいて、原稿搬送方向下流側には金属板３２７の一部を下側に向けて折り曲げてガイド片３２８が設けられ、このガイド片３２８の下側に前記回路基板３２３，回路素子３２５ａ〜３２５ｃを覆うカバー体３２６が配設され、外部からの塵埃などが回路基板３２３に付着することを防止している。さらに、通孔３２７ａにおける原稿搬送方向上流側に給紙ローラ３０２の駆動側ローラ３０２ｂ上部が配されている。
【００４３】
図１０において、本体側板３３０には、給紙ローラ３０２の駆動側ローラ３０２ｂを回転させるプーリ３３１ａを具備する電磁クラッチ３４０が設けられている。このプーリ３３１ａには後述する構成にて回転駆動力が伝達される。
【００４４】
図１１は本実施形態における下部構造体の側部における主な構成部材を示す側面図であり、本体側板３３０には、前記電磁クラッチ３４０に設けられたプーリ３３１ａと、排紙ローラ３０５の駆動側ローラ３０５ｂに連結されたプーリ３３１ｂと、駆動プーリ３３３ａと、中間プーリ３３３ｂ，３３３ｃとが配設され、各プーリ３３１ａ，３３１ｂ，プーリ３３３ａ〜３３３ｃにタイミングベルト３３２が張設され、駆動プーリ３３３ａにタイミングベルト３３２を駆動する駆動モータ３４１が設けられている。
【００４５】
前記駆動モータ３４１の回転駆動力が、タイミングベルト３３２，各プーリ３３３ａ〜３３３ｃを経て、給紙ローラ３０２の駆動側ローラ３０２ｂおよび排紙ローラ３０５の駆動側ローラ３０５ｂに伝達されるようになっている。
【００４６】
前記電磁クラッチ３４０は、先行する原稿後端が排紙ローラ３０５を抜けた際にクラッチが切られるようになっており、この時点では給紙ローラ３０２に駆動力を伝達しないようにし、次の原稿が誤って挿入されても引き込まれず、誤動作することがないようにしている。さらに、電磁クラッチ３４０にはブレーキが設けられ、原稿挿入時の衝撃で給紙ローラ３０２が不用意に回転してしまい、原稿の先端位置がずれてしまうことを防ぐようにしている。
【００４７】
また、本体側板３３０の駆動モータ３３１の下方には送風部材である送風ファン３３４が設けられ、送風ファン３３４により回路基板３２３の回路素子３２５ａ〜３２５ｃを冷却するようにしている。すなわち、送風ファン３３４から送り出された冷却用空気は、密着イメージセンサ３０４の外側ケース体３２４と、カバー体３２６などからなる下部構造体３２０の空間を通り、金属板３２７の通孔３２７ａから外部へ抜けるような流通路を流れることにより、回路基板３２３部分を冷却する。
【００４８】
なお、図１１における符号３２６は、上部構造体３１０の開放回動時に、上部構造体３１０に対して付勢力を与えるガススプリング構造の付勢手段を示す。
【００４９】
前記構成の実施形態では、密着イメージセンサ３０４が遮蔽部材である外側ケース体３２４により外部に対して遮断され、回路基板３２３と回路素子３２５ａ〜３２５ｃとが遮蔽部材としての金属板３２７により外部に対して遮断されているため、装置本体の一方側（正面側，手前側）から、それぞれ独立してアクセスして取り扱うことができるため、回路基板３２３のみに対するメンテナンスを行うとき、密着イメージセンサ３０４内に塵埃などが侵入して付着するなど不具合の発生を防止することができる。
【００５０】
また、本実施形態の構成のスキャナ部（画像読取部）３００が設置された画像形成装置では、その画像読取部における要部のメンテナンスが容易に行え、しかも、読取部内部に塵埃などが侵入して付着することなどを防止することができるため、長期にわたって良好な画像形成が行われる。
【産業上の利用可能性】
【００５１】
本発明は、画像読取センサとして密着イメージセンサを使用している原稿を移動させるシートスルー型の原稿読取装置に適用され、また、ファクシミリ装置，複写機などの画像形成装置における画像読取部に実施して有効であり、特に、装置全体が大型化する広幅機において有効である。
【符号の説明】
【００５２】
１００  給紙装置
２００  複写機本体
３００  スキャナ部（画像読取部）
３０１  原稿台
３０２  給紙ローラ
３０３  原稿搬送路
３０４  密着イメージセンサ
３０５  排紙ローラ
３１０  上部構造体
３１２  コンタクトガラス
３１３  圧板
３２０  下部構造体
３２１  キセノンランプ
３２２  イメージセンサ
３２３  回路基板
３２４  外側ケース体
３２５ａ〜３２５ｃ  回路素子
３２６  カバー体
３２７  金属板
３２７ａ  通孔
３２８  ガイド片
３３１ａ，３３１ｂ  プーリ
３３２  タイミングベルト
３３３ａ  駆動プーリ
３３４  送風ファン
３４０  電磁クラッチ
３４１  駆動モータ
【図１】
2012065346.tif 000003
【図２】
2012065346.tif 000004
【図３】
2012065346.tif 000005
【図４】
2012065346.tif 000006
【図５】
2012065346.tif 000007
【図６】
2012065346.tif 000008
【図７】
2012065346.tif 000009
【図８】
2012065346.tif 000010
【図９】
2012065346.tif 000011
【図１０】
2012065346.tif 000012
【図１１】
2012065346.tif 000013
【手続補正書】
【提出日】平成23年11月29日(2011.11.29)
【手続補正１】
【補正対象書類名】明細書
【補正対象項目名】００１２
【補正方法】変更
【補正の内容】
【００１２】
前記目的を解決するため、請求項１に記載の発明は、装置本体における一方から他方へ挿入された原稿が搬送される原稿搬送路と、該原稿搬送路を移動する原稿に対して下方から画像を読み取る読取部と、前記原稿搬送路の下方に位置し前記読取部を制御駆動するための回路素子が実装された回路基板と、前記原稿搬送路を開放可能に前記装置本体の前記他方側において開閉可能に支持された上部構造体とを備えた画像読取装置であって、
さらに、前記回路基板を外部に対して遮断する遮蔽部材を備え、前記上部構造体が前記原稿搬送路を開放する位置にあるとき、前記遮蔽部材を移動することで、前記回路基板を、前記読取部に対して独立して前記装置本体の前記一方側から取扱可能にしたことを特徴とし、この構成によって、回路基板を装置本体の一方側から読取部に対して独立してアクセスして取り扱うことができるように、遮蔽部材を設けたため、回路基板に対するメンテナンスを行うときでも、読取部に塵埃などが侵入して付着するなど不具合の発生を防止することができる。
【手続補正２】
【補正対象書類名】明細書
【補正対象項目名】００１４
【補正方法】変更
【補正の内容】
【００１４】
請求項３に記載の発明は、請求項１または２記載の画像読取装置において、回路基板と遮蔽部材との間にカバー部材を設けたことを特徴とし、この構成によって、回路基板の保護がより確実に図られる。
【手続補正３】
【補正対象書類名】明細書
【補正対象項目名】００１５
【補正方法】削除
【補正の内容】
【手続補正４】
【補正対象書類名】明細書
【補正対象項目名】００１６
【補正方法】変更
【補正の内容】
【００１６】
請求項４に記載の発明は、請求項１乃至３のいずれかに記載の画像読取装置において、読取部を密着イメージセンサとし、該密着イメージセンサの照明部をキセノンランプにて構成したことを特徴とし、この構成により、回路基板にキセノンランプインバータ回路が実装されていても、そのメンテナンスを容易に行うことができる。
【手続補正５】
【補正対象書類名】明細書
【補正対象項目名】００１７
【補正方法】変更
【補正の内容】
【００１７】
請求項５に記載の発明は、請求項１乃至４のいずれかに記載の画像読取装置において、上部構造体の下側部が、原稿搬送路の上側部を構成することを特徴とし、この構成によって、複雑な構成にならない構成の一般的な上部構造体を採用することができる。
【手続補正６】
【補正対象書類名】明細書
【補正対象項目名】００１８
【補正方法】変更
【補正の内容】
【００１８】
請求項６に記載の発明は、請求項１乃至５のいずれかに記載の画像読取装置において、装置本体における回路基板に対向する一側部分に、回路基板へ外気を送風する送風部材を設けたことを特徴とし、回路基板に実装されている回路素子の動作時の冷却が確実に行われる。
【手続補正７】
【補正対象書類名】明細書
【補正対象項目名】００１９
【補正方法】変更
【補正の内容】
【００１９】
請求項７に記載の発明は、読取対象における画像を読み取る画像読取部と、該画像読取部にて読み取った画像データに基づき記録材に対して画像を形成する画像形成部とを備えた画像形成装置において、前記画像読取部として請求項１乃至６のいずれかに記載の画像読取装置を搭載したことを特徴とし、この構成によって、本発明に係る画像読取装置を搭載したことにより、画像読取部における要部のメンテナンスが容易に行え、しかも、読取部内部に塵埃などが侵入して付着することなどを防止することができるため、長期にわたって良好な画像形成が行われることになる。
【手続補正８】
【補正対象書類名】明細書
【補正対象項目名】００２０
【補正方法】変更
【補正の内容】
【００２０】
本発明に係る画像読取装置によれば、回路基板を、装置本体の一方側（正面側，手前側）から読取部に対して独立して、アクセスして取り扱うことができるように遮蔽部材を設けたため、回路基板に対するメンテナンスを行うときでも、読取部に塵埃などが侵入して付着するなど不具合の発生を防止することができる。
【手続補正９】
【補正対象書類名】特許請求の範囲
【補正対象項目名】全文
【補正方法】変更
【補正の内容】
【特許請求の範囲】
【請求項１】
装置本体における一方から他方へ挿入された原稿が搬送される原稿搬送路と、該原稿搬送路を移動する原稿に対して下方から画像を読み取る読取部と、前記原稿搬送路の下方に位置し前記読取部を制御駆動するための回路素子が実装された回路基板と、前記原稿搬送路を開放可能に前記装置本体の前記他方側において開閉可能に支持された上部構造体とを備えた画像読取装置であって、
さらに、前記回路基板を外部に対して遮断する遮蔽部材を備え、前記上部構造体が前記原稿搬送路を開放する位置にあるとき、前記遮蔽部材を移動することで、前記回路基板を、前記読取部に対して独立して前記装置本体の前記一方側から取扱可能にしたことを特徴とする画像読取装置。
【請求項２】
前記回路基板の前記遮蔽部材を、前記原稿搬送路の下側部を構成する搬送ガイド部材とし、該搬送ガイド部材を着脱可能に設置したことを特徴とする請求項１に記載の画像読取装置。
【請求項３】
前記回路基板と前記遮蔽部材との間にカバー部材を設けたことを特徴とする請求項１または２に記載の画像読取装置。
【請求項４】
前記読取部を密着イメージセンサとし、該密着イメージセンサの照明部をキセノンランプにて構成したことを特徴とする請求項１乃至３のいずれかに記載の画像読取装置。
【請求項５】
前記上部構造体の下側部が、前記原稿搬送路の上側部を構成することを特徴とする請求項１乃至４のいずれかに記載の画像読取装置。
【請求項６】
前記装置本体における前記回路基板に対向する一側部分に、前記回路基板へ外気を送風する送風部材を設けたことを特徴とする請求項１乃至５のいずれかに項記載の画像読取装置。
【請求項７】
読取対象における画像を読み取る画像読取部と、該画像読取部にて読み取った画像データに基づき記録材に対して画像を形成する画像形成部とを備えた画像形成装置において、
前記画像読取部として請求項１乃至６のいずれかに記載の画像読取装置を搭載したことを特徴とする画像形成装置。